(57)【要約】【課題】強度及び形状安定性が高く、且つ、安価で製造容易なタイル連結シートを提供すること。【解決手段】複数のタイルを連結するタイル連結シート１であって、シートを切り抜くことで形成され、同一の向きで規則的に連続配置された多角形状の孔部２０と、隣接する孔部２０同士を隔離する隔壁部３０と、タイル連結シート１の互いに対向する一端から他端まで一直線に延びて前記孔部を貫通する枝部４０と、を備える。また、孔部２０の形状は、六角形であることが好ましい。【選択図】図１
2015105479.tif 000002
【特許請求の範囲】
【請求項１】
複数のタイルを連結するタイル連結シートであって、
シートを切り抜くことで形成され、規則的に連続配置された多角形状の孔部と、
隣接する前記孔部同士を隔離する隔壁部と、
タイル連結シートの互いに対向する一端から他端まで一直線に延びて前記孔部を貫通する枝部と、を備えるタイル連結シート。
【請求項２】
前記孔部の形状は、六角形である請求項１記載のタイル連結シート。
【請求項３】
前記六角形の孔部が一定幅の前記隔壁部を介して密に並んだハニカム構造を有する請求項２記載のタイル連結シート。
【請求項４】
前記枝部は、前記孔部の中央を貫通する請求項１から３のいずれか記載のタイル連結シート。
【請求項５】
前記枝部の延びる方向において隣接する前記孔部同士は、前記枝部の延びる方向に直交する方向において半周期ずれて配置されている請求項１から４のいずれか記載のタイル連結シート。
【請求項６】
前記枝部の一部は、前記隔壁部を兼ねる請求項１から５のいずれか記載のタイル連結シート。
【請求項７】
前記孔部の角部のうち鈍角となる角部に面取りが施される請求項１から６のいずれか記載のタイル連結シート。
【請求項８】
前記シートは、紙、不織布又は樹脂シートからなる請求項１から７のいずれか記載のタイル連結シート。
【請求項９】
複数のタイルと、
前記複数のタイルの裏面に貼り付けられることで、前記複数のタイルを連結する請求項１から８のいずれか記載のタイル連結シートと、を有するユニットタイルであって、
前記タイル連結シートは、前記枝部の延びる方向を前記ユニットタイル施工時における鉛直方向として前記複数のタイルに貼り付けられることを特徴とするユニットタイル。
【発明の詳細な説明】
【技術分野】
【０００１】
本発明は、タイル連結シート及びそれを有するユニットタイルに関する。
【背景技術】
【０００２】
従来、壁面等の下地へのタイルの貼り付けにおける施工工数を低減させるために、複数のタイルを連結させたユニットタイルが知られている。ユニットタイルにおいて、複数のタイルを連結するためには、孔の多数開いたタイル連結シートが用いられる。タイル連結シートは、タイルの裏面に接着して使用される。ユニットタイルのタイルを壁面等の下地に強固に接着させるためには、タイル連結シート全体の面積に占める孔の面積の割合（以下、「開口率」という場合がある）をできる限り大きくすればよい。
【０００３】
そこで、特に比較的重いタイルに接着され且つ厳しい環境に晒される屋外で使用するタイル連結シートとして、開口率の大きく強度の高いガラス繊維を編んだタイル連結シートを用いることが提案されている（例えば、特許文献１参照）。一方、屋内では、用いられるタイルが外壁用のタイルに比べて軽量なため、屋外ほどタイルと下地とを強固に接着させる必要がない。従って、室内で使用するタイル連結シートとしては、コスト面や加工のし易さにおいて有利な、紙等からなるシート素材に複数の孔部が切り抜かれたタイル連結シートが用いられている場合が多い。
【先行技術文献】
【特許文献】
【０００４】
【特許文献１】特開２００６−４５９７０号公報
【発明の概要】
【発明が解決しようとする課題】
【０００５】
ところで、コスト面や加工のし易さにおいて有利な、紙等からなり、複数の孔部が切り抜かれたタイル連結シートを屋外で用いようとする場合には、タイルと下地との接着を強固にするために、開口率を大きくする必要がある。タイル連結シートの開口率を大きくするには、孔部を大きくするか、隣り合う孔部同士を隔離する隔壁部の幅を狭くすることが考えられる。すなわち、複数の孔部が切り抜かれたタイル連結シートの開口率を大きくするには、タイル連結シートのうちシート素材に由来する部分の面積、すなわち隔壁部の面積をできるだけ小さくすればよい。
【０００６】
しかしながら、複数の孔部が切り抜かれたタイル連結シートにおいて、隔壁部の面積を小さくすると、強度が低くなってしまう。また、複数の孔部が切り抜かれたタイル連結シートにおいて、隔壁部の面積を小さくすると、孔部の大きさに対する隔壁部の幅が細くなる。隔壁部の幅が細くなると、タイル連結シートは引っ張られることによって捻じれや歪みが生じやすくなる。
【０００７】
本発明は、上記に鑑みてなされたものであり、その目的は、強度及び形状安定性が高く、且つ、安価で製造容易なタイル連結シートを提供することを目的とする。
【課題を解決するための手段】
【０００８】
（１）上記目的を達成するため本発明は、複数のタイルを連結するタイル連結シート（例えば、後述のタイル連結シート１，１Ａ〜Ｅ）であって、シートを切り抜くことで形成され、規則的に連続配置された多角形状の孔部（例えば、後述の孔部２０，２０Ａ〜Ｅ）と、隣接する前記孔部同士を隔離する隔壁部（例えば、後述の隔壁部３０，３０Ａ〜Ｅ）と、タイル連結シートの互いに対向する一端から他端まで一直線に延びて前記孔部を貫通する枝部（例えば、後述の枝部４０，４０Ａ〜Ｅ）と、を備えるタイル連結シートを提供する。
【０００９】
（１）の発明では、シートを切り抜くことで形成され、規則的に連続配置された複数の多角形状の孔部を備えるタイル連結シートにおいて、タイル連結シートの互いに対向する一端から他端まで一直線に延びて孔部を貫通する枝部を設ける。これにより、タイル連結シートが枝部の延びる方向に引っ張られたとしても、枝部がその荷重を支えるので、孔部の形状が歪んで隔壁部がタイル連結シートの面外方向に捻じれてしまうのを防ぐことができる。従って、（１）の発明に係るタイル連結シートは、安価で製造容易である上に、タイルと下地との接着性を高めるために孔部を大きく形成した場合でも、効果的に強度と形状安定性を高めることができる。
【００１０】
（２）前記孔部の形状は、六角形であることが好ましい。
【００１１】
（２）の発明では、孔部を六角形とする。これにより、六角形は、全方向からの応力を分散することができ、多角形の中でも特に形状安定性が高い。従って、（２）の発明に係るタイル連結シート１は、孔部の形状が歪み難く、形状安定性がより高くなる。
【００１２】
（３）タイル連結シートは、前記六角形の孔部が一定幅の前記隔壁部を介して密に並んだハニカム構造を有することが好ましい。
【００１３】
（３）の発明では、タイル連結シートを、六角形の孔部が一定幅の隔壁部を介して密に並んだハニカム構造を有するものとする。これにより、タイル連結シートの開口率が高くなる。従って、（３）の発明に係るタイル連結シートによれば、タイルに接着させて使用する際に、タイルと下地とを強固に接着させることができる。
【００１４】
（４）前記枝部は、前記孔部の中央を貫通することが好ましい。
【００１５】
（４）の発明では、枝部が孔部の中央を貫通するものとする。これにより、タイル連結シートが枝部の延びる方向に引っ張られる力によって、枝部の貫通する孔部が歪むことを安定して防ぐことができる。従って、（４）の発明に係るタイル連結シート１は、形状安定性がより高くなる。
【００１６】
（５）前記枝部の延びる方向（例えば、後述のＹ方向）において隣接する前記孔部同士は、前記枝部の延びる方向に直交する方向（例えば、後述のＸ方向）において半周期ずれて配置されていることが好ましい。
【００１７】
（５）の発明では、枝部の延びる方向において隣接する孔部同士を、枝部の延びる方向に直交する方向において半周期ずらして配置する。これにより、タイル連結シートが枝部の延びる方向に引っ張られる力をバランスよく分散させることができる。従って、（５）の発明に係るタイル連結シートは、形状安定性がより高くなる。
【００１８】
（６）前記枝部の一部は、前記隔壁部を兼ねることが好ましい。
【００１９】
（６）の発明では、枝部の一部が、隔壁部を兼ねるものとする。これにより、タイル連結シート１の開口率の減少を抑えつつ、枝部を設けることができる。従って、（６）の発明に係るタイル連結シートでは、強度の向上と、タイルに接着させて使用する際のタイルの下地への接着性の維持と、を両立させることができる。
【００２０】
（７）前記孔部の角部のうち鈍角となる角部（例えば後述の、第１角部Ｖ１、第２角部Ｖ２、第３角部Ｖ３、第４角部Ｖ４、第５角部Ｖ５及び第６角部Ｖ６）に面取りが施されることが好ましい。
【００２１】
（７）の発明では、孔部の角部のうち鈍角となる角部に面取りを施す。これにより、応力が孔部の角部に集中してタイル連結シートが破れてしまうのを防ぐことができる。従って、（７）の発明に係るタイル連結シートでは、強度をより向上させることができる。
【００２２】
（８）前記シートは、紙、不織布又は樹脂シートからなることが好ましい。
【００２３】
（８）の発明によれば、安価で製造容易なタイル連結シートを提供できる。
【００２４】
（９）また、複数のタイル（例えば、後述のタイル５０）と、前記複数のタイルの裏面（例えば、後述の裏面５１）に貼り付けられることで、前記複数のタイルを連結する前記タイル連結シートと、を有するユニットタイル（例えば、後述のユニットタイル１００）であって、前記タイル連結シートは、前記枝部の延びる方向を前記ユニットタイル施工時における鉛直方向として前記複数のタイルに貼り付けられることを特徴とするユニットタイルを提供する。
【００２５】
（９）の発明では、複数のタイルの裏面に、枝部の延びる方向がユニットタイル施工時における鉛直方向となるように前記タイル連結シートを貼り付ける。
（９）の発明によれば、下地への接着性及び強度の高いユニットタイルを提供できる。
【発明の効果】
【００２６】
本発明によれば、強度及び形状安定性が高く、且つ、安価で製造容易なタイル連結シートを提供できる。
【図面の簡単な説明】
【００２７】
【図１】本発明の一実施形態に係るタイル連結シートの平面図である。
【図２】上記実施形態に係るタイル連結シートの孔部について示す図であり、（ａ）は枝部の貫通しない孔部について示す図であり、（ｂ）は枝部の貫通する孔部について示す図である。
【図３】上記実施形態に係るタイル連結シートの細部について示す図であり、図１の拡大図である。
【図４】従来のタイル連結シートの孔部と上記実施形態に係るタイル連結シートの孔部について比較する図であり、（ａ）は従来のタイル連結シートの孔部について示す図であり、（ｂ）は上記実施形態に係るタイル連結シートの孔部について示す図である。
【図５】上記実施形態に係るタイル連結シートの使用状態について示す図である。
【図６】上記実施形態の変形例１に係るタイル連結シートの部分平面図である。
【図７】上記実施形態の変形例２に係るタイル連結シートの部分平面図である。
【図８】上記実施形態の変形例３に係るタイル連結シートの部分平面図である。
【図９】上記実施形態の変形例４に係るタイル連結シートの部分平面図である。
【図１０】上記実施形態の変形例５に係るタイル連結シートの部分平面図である。
【発明を実施するための形態】
【００２８】
以下、本発明の一実施形態について、図面を参照しながら詳細に説明する。
図１は、本発明の一実施形態に係るタイル連結シート１の平面図である。
図１に示すように、タイル連結シート１は、矩形状である。タイル連結シート１は、矩形状のシートを切り抜くことで形成された複数の六角形の孔部２０と、隣接する孔部２０同士を隔離する隔壁部３０と、タイル連結シート１の互いに対向する一端から他端まで（図１におけるタイル連結シート１の上端から下端まで）一直線に延びて前記孔部を貫通する枝部４０と、を備える。
【００２９】
タイル連結シート１の素材となるシートは、紙、不織布又は樹脂シートからなる。タイル連結シート１は、Ｙ方向（図１における上下方向）における一端側の辺１１及び他端側の辺１２、並びに、Ｙ方向と直交するＸ方向（図１における横方向）における一端側の辺１３及び他端側の辺１４によって矩形状に形成される。
【００３０】
孔部２０は、同一の方向を向いて規則的に連続配置される。より詳しくは、孔部２０は、Ｘ方向において、隔壁部３０を介して２つ孔部２０と隣り合い、Ｙ方向において、隔壁部３０を介して４つ孔部２０と隣り合う。Ｙ方向において隣接する孔部２０同士は、Ｘ方向において半周期ずれて配置されている。ここで「周期」とは、孔部２０のＸ方向における一方側の端部と、その孔部２０とＸ方向で隣接する孔部２０の一方側の端部との、Ｘ方向の距離である。
このように、タイル連結シート１は、六角形の孔部２０が一定幅（例えば、２．７ｍｍ）の隔壁部３０を介して密に並んだハニカム構造を有する。
【００３１】
図１に示すように、孔部２０としては、後述する枝部４０の貫通しない孔部２０（構造Ｕ１における孔部２０）及び枝部４０の貫通する孔部２０（構造Ｕ２における孔部２０）が存在する。構造Ｕ１，Ｕ２の詳細については後段で詳述する。
【００３２】
図１に示すように、枝部４０は、Ｙ方向を直線状に延び、且つ、孔部２０の中央を貫通する。枝部４０は、孔部２０の中央を貫通する孔貫通部４１と、Ｘ方向において隣り合う孔部２０同士を隔離する隔壁部３０を兼ねる孔不通部４２と、を有する。枝部４０の幅は、隔壁部３０の幅と同等になっている（例えば、２．７ｍｍ）。
【００３３】
枝部４０は、Ｘ方向に５本並んで配置されている。Ｘ方向において隣り合う枝部４０同士では、Ｙ方向における孔貫通部４１及び孔不通部４２の配置される順番が逆になっている。このような配置により、タイル連結シート１を使用する際にタイル連結シート１にかかるタイルの負荷を分散させることができる。
【００３４】
続いて、タイル連結シート１における構造Ｕ１，Ｕ２について説明する。
図２（ａ）は、タイル連結シート１における構造Ｕ１について示す図であり、図２（ｂ）は、タイル連結シート１における構造Ｕ２について示す図である。図２（ａ）及び（ｂ）は、それぞれ図１の構造Ｕ１，Ｕ２の拡大図である。
図２（ａ）及び（ｂ）に示すように、隔壁部３０は、図２における孔部２０の右上、左上、左、左下、右下及び右にそれぞれ配置される、第１隔壁部３１と、第２隔壁部３２と、第３隔壁部３３と、第４隔壁部３４と、第５隔壁部３５と、第６隔壁部３６と、によって構成される。構造Ｕ２においては、図２（ｂ）に示すように枝部４０が孔部２０を貫通するので、孔部２０は、図２（ｂ）における枝部４０の右及び左にそれぞれ配置される、第１孔部２１と、第２孔部２２と、によって構成される。
【００３５】
ところで、孔部２０は、正六角形ではなく、Ｙ方向に伸びた六角形となっている。例えば、孔部２０のＸ方向の長さＷは１７ｍｍであり、孔部２０のＹ方向の長さＬは２３ｍｍである。
【００３６】
また、構造Ｕ１においては、図２（ａ）に示すように、孔部２０は、第１隔壁部３１及び第２隔壁部３２によって形成される第１角部Ｖ１と、第２隔壁部３２及び第３隔壁部３３によって形成される第２角部Ｖ２と、第３隔壁部３３及び第４隔壁部３４によって形成される第３角部Ｖ３と、第４隔壁部３４及び第５隔壁部３５によって形成される第４角部Ｖ４と、第５隔壁部３５及び第６隔壁部３６によって形成される第５角部Ｖ５と、第６隔壁部３６及び第１隔壁部３１によって形成される第６角部Ｖ６と、を有する。構造Ｕ２においては、図２（ｂ）に示すように、孔部２０は、第２角部Ｖ２と、第３角部Ｖ３と、第５角部Ｖ５と、第６角部Ｖ６と、第１角部Ｖ１が枝部４０によって分割されることで形成される第７角部Ｖ７及び第８角部Ｖ８と、第４角部Ｖ４が枝部によって分割されることで形成された第９角部Ｖ９及び第１０角部Ｖ１０と、を有する。
【００３７】
孔部２０における第１角部Ｖ１及び第４角部Ｖ４の角度（例えば、１４０°）は、第２角部Ｖ２、第３角部Ｖ３、第５角部Ｖ５及び第６角部Ｖ６（例えば、１１０°）よりも大きく形成される。このように、第１角部Ｖ１及び第４角部Ｖ４の角度を第２角部Ｖ２、第３角部Ｖ３、第５角部Ｖ５及び第６角部Ｖ６よりも大きく形成することで、孔部２０を正六角形にした場合に比べて、タイル連結シート１のＹ方向における一端及び他端において、孔部２０の形成されない余白の面積を小さくすることができる（図１参照）。タイル連結シート１のＹ方向における一端及び他端において、孔部２０の形成されない余白の面積を小さくできれば、タイル連結シート１の開口率を上げることができる。
【００３８】
図３は、タイル連結シート１の細部について示す図であり、図１の領域Ｒの拡大図である。
図３に示すように、孔部２０における第１角部Ｖ１、第２角部Ｖ２、第３角部Ｖ３、第４角部Ｖ４、第５角部Ｖ５及び第６角部Ｖ６は鈍角であり、面取りが施されている。つまり、孔部２０における第１角部Ｖ１、第２角部Ｖ２、第３角部Ｖ３、第４角部Ｖ４、第５角部Ｖ５及び第６角部Ｖ６は、丸みを帯びている。
一方、図２（ｂ）に示すように、孔部２０における、第７角部Ｖ７、第８角部Ｖ８、第９角部Ｖ９及び第１０角部Ｖ１０は鋭角（例えば、７０°）である。
【００３９】
続いて、図４により、従来のタイル連結シート１Ｐと上記実施形態に係るタイル連結シート１とを比較する。図４（ａ）は従来のタイル連結シート１Ｐの孔部２０Ｐとその周辺について示す図であり、図４（ｂ）は上記実施形態に係るタイル連結シート１の枝部４０が貫通する孔部２０とその周辺について示す図である。
【００４０】
タイル連結シート１Ｐは、枝部を有さないハニカム構造である。図４（ａ）に示すように、タイル連結シート１Ｐに上下方向に引っ張る力（矢印Ｆ１方向の力）が働いた場合、その力は、第１隔壁部３１Ｐ及び第２隔壁部３２Ｐを引き上げる力並びに第４隔壁部３４Ｐ及び第５隔壁部３５Ｐを引き下げる力（矢印Ｆ２方向の力）となる。矢印Ｆ２方向への力によって、第３隔壁部３３Ｐ及び第６隔壁部３６Ｐを図４（ａ）に示した破線の形状に変形し、孔部２０Ｐの形状が歪んで隔壁部３０Ｐがタイル連結シート１Ｐの面外方向に捻じれてしまう。
【００４１】
一方、図４（ｂ）に示すように、本実施形態に係るタイル連結シート１に上下方向に引っ張る力（矢印Ｆ１方向への力）が働いた場合、その力は、枝部４０の孔貫通部４１を、図４（ｂ）における上下方向に引っ張る力（矢印Ｆ３方向の力）となり、図４（ａ）に示した矢印Ｆ２方向の力に相当する力は弱くなる。このように、タイル連結シート１では、孔部２０を貫通する枝部４０によって、孔部２０の形状を歪めようとする力を抑えることができる。なお、タイル連結シート１における、枝部４０が貫通しない孔部２０も、枝部４０が貫通する孔部２０の存在によって変形が抑えられる。
【００４２】
続いて、タイル連結シート１の製造方法について説明する。
タイル連結シート１は、矩形状の、紙、不織布又は樹脂シートを切り抜いて孔部２０を形成することによって製造することができる。孔部２０を切り抜く方法としては特に限定されない。カッターナイフ等の刃物を用いて孔部２０を切り抜いてもよいし、穴あけパンチを用いて孔部２０を形成してもよい。タイル連結シート１の製造時に、構造Ｕ１における孔部２０と、構造Ｕ１における孔部２０とでは、素材の切り抜かれる形状が異なることは言うまでもない。
【００４３】
タイル連結シート１の寸法は、例えば、Ｙ方向の長さが２８５ｍｍであり、Ｘ方向の長さが２００ｍｍである。タイル連結シート１の寸法としては、Ｙ方向の長さが５０〜５００ｍｍであることが好ましく、Ｘ方向の長さが２０〜３００ｍｍであることが好ましい。これらの寸法よりも小さいと多くのタイルを連結するのが難しくなる傾向にあり、逆にこれらの寸法よりも大きいと多くのタイルを連結することが可能になるが、タイルの重さでタイル連結シート１が破損しやすくなってしまう傾向にある。
【００４４】
タイル連結シート１（タイル連結シート１の素材のシート）の厚さは、例えば、０．２ｍｍである。タイル連結シート１の厚さは、０．０５〜１ｍｍであることが好ましい。タイル連結シート１の厚さが０．０５未満であると、タイル連結シート１の強度が低くなる傾向にある。タイル連結シート１の厚さが１ｍｍを超えると、後述するタイル連結シート１の使用時においてタイルと下地との距離が離れ、接着性が低くなる傾向にある。
【００４５】
タイル連結シート１における孔部２０の面積は、例えば、３５７ｍｍ２である。タイル連結シート１における孔部２０の面積は、２００〜４００ｍｍ２であることが好ましい。孔部２０の面積が、２００ｍｍ２未満であると、後述するタイル連結シート１の使用時においてタイルと下地との接着性が低くなる傾向にある。孔部２０の面積が、４００ｍｍ２を超えると、タイル連結シート１の強度が低くなる傾向にある。
【００４６】
タイル連結シート１における開口率（タイル連結シート１全体の面積に対する孔部２０の面積の合計の割合）は、例えば、７２．５％である。タイル連結シート１における開口率は、６８〜７５％であることが好ましい。タイル連結シート１における開口率が、６８％未満であると、後述するタイル連結シート１の使用時においてタイルと下地との接着性が低くなる傾向にある。タイル連結シート１における開口率が、７５％を超えると、タイル連結シート１の強度が低くなる傾向にある。
【００４７】
続いて、タイル連結シート１の使用状態（施工方法）について説明する。図５は、タイル連結シート１の使用状態について示す図であり、ユニットタイル１００の斜視図である。
ユニットタイル１００は、複数のタイル５０と、複数のタイル５０の裏面５１に貼り付けられることで複数のタイル５０を連結するタイル連結シート１と、を有する。タイル連結シート１は、枝部４０の延びる方向（Ｙ方向）をユニットタイル１００の施工時における鉛直方向として複数のタイル５０に貼り付けられる。
【００４８】
図示しないが、タイル連結シート１のタイル５０の裏面５１側には、コーティング層が形成され、このコーティング層によって、タイル連結シート１と複数のタイル５０とが接着される。コーティング層を形成するための原料としては特に限定されないが、アクリル系、ＥＶＡ（エチレン酢酸ビニル）系、エポキシ系、ウレタン系等の各種合成樹脂やこれらの混合物等が挙げられる。なお、タイル５０の大きさが小さい場合には、タイル連結シート１を枝部４０に沿って切断して使用することも可能である。
【００４９】
図５に示すように、タイル５０は、矩形板状である。タイル５０は、長手方向がＸ方向となるように配置される。タイル５０は、Ｘ方向に２枚並べて配置され、Ｙ方向に６段配置される。Ｙ方向で隣り合うタイル５０は、Ｘ方向に交互にずれて配置される。タイル５０同士は、所定の目地幅を開けて配置される。Ｙ方向で隣り合うタイル５０は、必ず１本以上の同一の枝部によって接続される。また、１枚のタイル５０には、必ず２本以上の枝部４０が接着される。このような構造によって、ユニットタイル１００の強度が高くなる。
【００５０】
図５に示すように、Ｙ方向が鉛直方向となり、Ｘ方向が水平方向となるようして、ユニットタイル１００は壁面等の下地に貼り付けられる。ユニットタイル１００を下地に貼り付ける際には、あらかじめ、シリコン系やエポキシ系等の弾性接着剤を下地に塗布しておく。続いて、下地に塗布した弾性接着剤が固化する前に、ユニットタイル１００を下地に接着する。
【００５１】
タイル連結シート１のタイル５０側の面の色を、ユニットタイル１００を下地に塗布する弾性接着剤の色と同色又は同色系にすれば、ユニットタイル１００の施工後に、タイル５０同士間の目地を埋めなくても、タイル連結シート１を目立たなくすることができる。
また、タイル連結シート１の枝部の幅（孔部２０同士の間隔）を、下地に塗布される弾性接着剤のクシ目の幅（例えば、３ｍｍ）と同等にすることで、ユニットタイル１００の施工後に、タイル５０同士間の目地を埋めなくても、タイル連結シート１を目立たなくすることができる。
【００５２】
本実施形態によれば、以下の効果が奏される。
本実施形態では、シートを切り抜くことで形成され、同一の方向を向いて規則的に連続配置された複数の多角形状（六角形）の孔部２０を備えるタイル連結シート１において、タイル連結シート１の互いに対向する一端から他端まで一直線に延びて孔部２０を貫通する枝部４０を設けた。
これにより、タイル連結シート１が枝部４０の延びる方向（Ｙ方向）に引っ張られたとしても、枝部４０がその荷重を支えるので、孔部２０の形状が歪んで隔壁部３０がタイル連結シート１の面外方向に捻じれてしまうのを防ぐことができる。従って、本実施形態に係るタイル連結シート１は、安価で製造容易な上に、タイル５０と下地との接着性を高めるために孔部２０を大きく形成した場合でも、効果的に強度と形状安定性を高めることができる。
【００５３】
また、本実施形態では、孔部２０を六角形とした。
六角形は、全方向からの応力を分散することができ、多角形の中でも特に形状安定性が高い。従って、本実施形態に係るタイル連結シート１では、孔部２０の形状が歪み難く、形状安定性がより高くなる。
【００５４】
また、本実施形態では、タイル連結シート１を、六角形の孔部２０が一定幅の隔壁部３０を介して密に並んだハニカム構造を有するものとした。
これにより、タイル連結シート１の開口率が高くなる。従って、本実施形態に係るタイル連結シート１によれば、タイル５０に接着させて使用する際に、タイル５０と下地とを強固に接着させることができる。
【００５５】
また、本実施形態では、枝部４０が孔部２０の中央を貫通するものとした。
これにより、タイル連結シート１が枝部４０の延びる方向（Ｙ方向）に引っ張られる力によって、枝部４０の貫通する孔部２０が歪むことを安定して防ぐことができる。従って、本実施形態に係るタイル連結シート１は、形状安定性がより高くなる。
【００５６】
また、本実施形態では、Ｙ方向において隣接する孔部２０同士を、Ｘ方向において半周期ずらして配置した。
これにより、タイル連結シート１が枝部４０の延びる方向（Ｙ方向）に引っ張られる力をバランスよく分散させることができる。従って、本実施形態に係るタイル連結シート１は、形状安定性がより高くなる。
【００５７】
また、本実施形態では、枝部４０の一部が、隔壁部３０を兼ねるものとした。
これにより、タイル連結シート１の開口率の減少を抑えつつ、枝部４０を設けることができる。従って、本実施形態に係るタイル連結シート１では、強度の向上と、タイル５０に接着させて使用する際のタイル５０の下地への接着性の維持と、を両立させることができる。
【００５８】
また、本実施形態では、孔部２０の角部のうち鈍角となる第１角部Ｖ１、第２角部Ｖ２、第３角部Ｖ３、第４角部Ｖ４、第５角部Ｖ５及び第６角部に面取りを施した。
これにより、応力が孔部２０の角部に集中してタイル連結シート１が破れてしまうのを防ぐことができる。従って、本実施形態に係るタイル連結シート１では、強度をより向上させることができる。
【００５９】
また、本実施形態では、タイル連結シート１の素材となるシートを、紙、不織布又は樹脂シートからなるものとした。
これにより、安価で加工しやすいタイル連結シート１を提供できる。
【００６０】
また、本実施形態では、複数のタイル５０の裏面に枝部の延びる方向がユニットタイル施工時における鉛直方向となるようにタイル連結シート１を貼り付けた。
これにより、下地への接着性及び強度の高いユニットタイル１００を提供できる。
【００６１】
なお、本発明は上記実施形態に限定されるものではなく、本発明の目的を達成できる範囲での変形、改良等は本発明に含まれる。
上記実施形態では、孔部２０を六角形としたが、孔部２０は多角形状であれば特に限定されない。上記実施形態の変形例を図６〜１０に示す。
【００６２】
図６は、孔部２０Ａを菱形とした上記実施形態の変形例１に係るタイル連結シート１Ａの部分平面図である。
タイル連結シート１Ａは、シートを切り抜くことで形成され、規則的に連続配置された菱形の孔部２０Ａと、隣接する孔部２０Ａ同士を隔離する隔壁部３０Ａと、Ｙ方向に一直線に延びて孔部２０Ａを貫通する枝部４０Ａと、を備える。枝部４０Ａは、孔部２０Ａの中央を貫通する。Ｙ方向において隣接する孔部２０Ａ同士は、Ｘ方向において半周期ずれて配置されている。
【００６３】
図７は、孔部２０Ｂを正方形とした上記実施形態の変形例２に係るタイル連結シート１Ｂの部分平面図である。
タイル連結シート１Ｂは、シートを切り抜くことで形成され、規則的に連続配置された正方形の孔部２０Ｂと、隣接する孔部２０Ｂ同士を隔離する隔壁部３０Ｂと、Ｙ方向に一直線に延びて孔部２０Ｂを貫通する枝部４０Ｂと、を備える。枝部４０Ｂは、孔部２０Ｂの中央を貫通する。また、Ｙ方向において隣接する孔部２０Ｂ同士は、Ｘ方向において半周期ずれて配置されている。更に、枝部４０Ｂの一部は、隔壁部３０Ｂを兼ねる。
【００６４】
図８は、孔部２０Ｃを矩形状とした上記実施形態の変形例３に係るタイル連結シート１Ｃの部分平面図である。
タイル連結シート１Ｃは、シートを切り抜くことで形成され、規則的に連続配置された矩形の孔部２０Ｃと、隣接する孔部２０Ｃ同士を隔離する隔壁部３０Ｃと、Ｙ方向に一直線に延びて孔部２０Ｃを貫通する枝部４０Ｃと、を備える。
【００６５】
図９は、孔部２０Ｄを八角形とした上記実施形態の変形例４に係るタイル連結シート１Ｄの部分平面図である。
タイル連結シート１Ｄは、シートを切り抜くことで形成され、規則的に連続配置された八角形の孔部２０Ｄと、隣接する孔部２０Ｄ同士を隔離する隔壁部３０Ｄと、Ｙ方向に一直線に延びて孔部２０Ｄを貫通する枝部４０Ｄと、を備える。枝部４０Ｄは、孔部２０Ｄの中央を貫通する。
【００６６】
図１０は、孔部２０Ｅを八角形とした上記実施形態の変形例５に係るタイル連結シート１Ｅの部分平面図である。
タイル連結シート１Ｅは、シートにタイル連結シート１Ｄと同様の八角形の孔部２０Ｅが形成されたものであるが、Ｙ方向において隣接する孔部２０Ｅ同士は、タイル連結シート１Ｄと異なりＸ方向において半周期ずれて配置されている。また、枝部４０Ｅは、孔部２０ＤＥの中央を貫通し、枝部４０Ｅの一部は、隔壁部３０Ｅを兼ねる。
【符号の説明】
【００６７】
１，１Ａ〜Ｅ…タイル連結シート
２０，２０Ａ〜Ｅ…孔部
３０，３０Ａ〜Ｅ…隔壁部
４０，４０Ａ〜Ｅ…枝部
５０…タイル
５１…裏面
１００…ユニットタイル
Ｖ１…第１角部（角部）
Ｖ２…第２角部（角部）
Ｖ３…第３角部（角部）
Ｖ４…第４角部（角部）
Ｖ５…第５角部（角部）
Ｖ６…第６角部（角部）
【図１】
2015105479.tif 000003
【図２】
2015105479.tif 000004
【図３】
2015105479.tif 000005
【図４】
2015105479.tif 000006
【図５】
2015105479.tif 000007
【図６】
2015105479.tif 000008
【図７】
2015105479.tif 000009
【図８】
2015105479.tif 000010
【図９】
2015105479.tif 000011
【図１０】
2015105479.tif 000012